(57)【特許請求の範囲】
【請求項１】
庫内に商品収納ラックおよび付属機器を搭載した自動販売機のキャビネットであり、箱型筐体になるキャビネット本体の前面に片開き式のメイン扉を装備し、該メイン扉の吊り側をヒンジを介してキャビネット本体の外箱に取付けたものにおいて、
上部側のヒンジを構成するヒンジ金具およびそのヒンジ軸をそれぞれキャビネット本体の外箱およびメイン扉の天井板の内側に取付けたことを特徴とする自動販売機のキャビネット。
【請求項２】
請求項１記載のキャビネットにおいて、ヒンジ金具の取付板を外箱天井板の内側に布設した補強金に固定したことを特徴とする自動販売機のキャビネット。
【請求項３】
請求項１記載のキャビネットにおいて、ヒンジ軸をメイン扉の扉枠天井板の内側に固定したことを特徴とする自動販売機のキャビネット。
【発明の詳細な説明】
【０００１】
【発明の属する技術分野】
本発明は、自動販売機のキャビネットに関し、詳しくはそのメイン扉のヒンジ構造に係わる。
【０００２】
【従来の技術】
まず、頭記した自動販売機の全体構成を図３，図４に示す。各図において、１は箱型の断熱筐体としてなるキャビネット本体、２はキャビネット本体１の前面に配した片開き式のメイン扉（外扉）、３は断熱内扉、４はキャビネット本体１の庫内に収設した商品収納ラック（例えばサーペンタイン式商品収納ラック）、５は商品搬出シュータ、６は商品取出口、７は庫内冷却用の冷凍機である。
【０００３】
また、メイン扉２にはその前面側に商品見本８を陳列するディスプレイ室９を画成し、扉の裏側にコイン機構１０，ビルバリデータ１１などを装備しており、その扉吊り側（左側端）の上下をキャビネット本体１にヒンジ結合して開閉可能に取付けており、１２はその上部側のヒンジ、１３は扉ロックである。
ここで、従来の自動販売機に採用されているメイン扉の上部側ヒンジ１２の詳細な構造を図５(a),(b) で説明する。すなわち、上部側のヒンジ１２は、キャビネット本体１の上面前部に設けてメイン扉２を支持しており、堅牢なヒンジ金具１２ａの先端には下向きにヒンジ軸１２ｂを、また基部側には溶接ボルト１２ｃが溶接接合してあり、該金具１２をキャビネット本体１の外箱１ａの上に重ね、ボルト１２ｃおよびナット１２ｄにより外箱１ａとその天井板の裏側に布設した上部補強板１ｂへ強固に締結している。また、メイン扉２の天井部には前記ヒンジ軸１２ｂと嵌まり合う補強金１２ｅを溶接しておき、ここにパッキン１２ｆを介してヒンジ１２のヒンジ軸１２ｂを上方から差し込んでメイン扉を開閉自在に支持している。
【０００４】
また、メイン扉２から庫内側側に向けて突き出した扉枠２ａの上には、外箱１ａの開口縁に設けたガスケット１４とメイン扉２との間の隙間を通して庫内側に浸入する雨水を受け、扉の側方に導いて下方に滴下させるように排水樋１５を備えており、さらにヒンジ軸１２ｂの下方にはヒンジ軸を伝わってその軸貫通部より浸入する雨水に対処して別な排水樋１６を設けている。なお、図中で２ｂはディスプレイ室９の背面を覆うメイン扉２の裏扉、９ａはディスプレイ室９の電照板、１７は商品選択ボタンである。
【０００５】
【発明が解決しようとする課題】
ところで、前記した従来のヒンジ構造では次記のような問題点がある。すなわち、
(1) 最近では自動販売機から金銭を盗み取る盗難が多発しており、その手口としては前記のようにキャビネット本体１の外部に露呈しているメイン扉２の上部側ヒンジ１２が最も狙われやすく、バール，金鋸などを使ってヒンジ１２を破壊し、メイン扉２を外してその庫内側に装備したコイン機構，ビルバリデータから金銭を盗む手口が多い。
【０００６】
(2) また、従来構造では、ヒンジ軸１２ｂがメイン扉２の天井を貫通していることからその軸貫通部を通して外部から雨水が浸入し易く、このためにパッキン１２ｆ，排水樋１６などを設けているが、扉構造が複雑になるほかパッキンの耐久性，信頼性にも問題がある。
本発明は上記の点に鑑みなされたものであり、その目的は前記問題点を解決して、高い防盗性と防水性が確保できるようにメイン扉のヒンジ構造を改良した自動販売機のキャビネットを提供することにある。
【０００７】
【課題を解決するための手段】
上記目的を達成するために、本発明によれば、箱型筐体になるキャビネット本体の前面に片開き式のメイン扉を装備し、該メイン扉の吊り側をヒンジを介してキャビネット本体の外箱に取付けた自動販売機のキャビネットにおいて、
上部側のヒンジを構成するヒンジ金具およびそのヒンジ軸をそれぞれキャビネット本体の外箱およびメイン扉の天井板の内側に取付ける（請求項１）ものとし、具体的にはヒンジ構造を次記のような態様で構成する。
【０００８】
(1) ヒンジ金具の取付板を外箱の天井板の内側に布設した補強金に固定する（請求項２）。
(2) ヒンジ軸をメイン扉の扉枠天井板の内側に固定する（請求項３）。
上記の構成によれば、ヒンジ金具およびヒンジ軸はキャビネットの外側に露呈してなく、外方からではヒンジの構造が見えない。これにより、外部からヒンジを破壊してメイン扉を取り外すといった盗難の手口を効果的に防ぐことができる。また、ヒンジ軸は従来構造のようにメイン扉を貫通せず、ヒンジ軸貫通部を伝わって雨水が庫内側に浸入することがないのでキャビネットの防水性が向上するとともに、従来構造におけるヒンジ用の防水パッキン，排水樋も不要となる。
【０００９】
【発明の実施の形態】
以下、本発明の実施の形態を図１，図２に示す実施例に基づいて説明する。なお、実施例の図中で図５に対応する部材には同じ符号を付してその詳細な説明は省略する。
すなわち、図１(a),(b) および図２(a),(b) において、メイン扉２の上部側ヒンジ１２は、そのヒンジ金具の取付板１２ａ，およびヒンジ軸１２ｂがそれぞれキャビネット本体１，メイン扉２の天井板の内側に設置されている。ここで、ヒンジ金具の取付板１２ａは、その先端側に設けたヒンジ軸受部１２ａ-1をキャビネット本体１の前方に突き出して外扉１ａの天井板の内側に布設した補強金１ｂの下面に重ね、この位置でボルト１２ｃにより強固に締結固定されている。なお、図示例ではヒンジ軸受部１２ａ-1が取付板１２ａに溶接接合されているが一体構造物でもよい。
【００１０】
一方、ヒンジ軸１２ｂはメイン扉２の扉枠２ａに連ねて上方に折り返した天板の裏面に軸先端を下に向けて溶接接合されており、図示のようにキャビネット本体１にメイン扉２を取付ける際に、ヒンジ軸１２を上方からヒンジ軸受部１２ａ-1に嵌挿して扉を開閉自在に支持するようにしている。
【００１１】
【発明の効果】
以上述べたように、本発明によれば、箱型筐体になるキャビネット本体の前面に片開き式のメイン扉を装備し、該メイン扉の吊り側をヒンジを介してキャビネット本体の外箱に取付けた自動販売機のキャビネットにおいて、上部側のヒンジを構成するヒンジ金具およびそのヒンジ軸をそれぞれキャビネット本体の外箱およびメイン扉の天井板の内側に取付けたことにより、次記の効果が得られる。
【００１２】
(1) ヒンジ金具およびヒンジ軸はキャビネットの外側に露呈してなく、外方からではヒンジの構造が見えない。これにより、ヒンジを狙って破壊し、メイン扉を取り外して庫内側に備えたコインボックス，ビルバリデータから金銭を盗み出すといった盗難の手口を防ぐことができて防盗性の向上化が図れる。
(2) また、ヒンジ軸は従来構造のようにメイン扉を貫通せず、ヒンジ軸貫通部を伝わって雨水が庫内側に浸入することがないのでキャビネットの防水性が向上するとともに、従来構造におけるヒンジ用の防水パッキン，排水樋も不要となって製作コストが低減する。
【００１３】
(3) 加えて、ヒンジ金具がキャビネットから外部に突き出して剥き出しになることがなくて外観の体裁も改善されるほか、自動販売機の出荷梱包も容易となるなどの利点が得られる。
【図面の簡単な説明】
【図１】本発明の実施例によるキャビネットの構成図であり、(a) はメイン扉の上部ヒンジ側部分の正面図、(b) は(a) 図における矢視Ｙ−Ｙ断面図
【図２】図１(a) における矢視Ｘ−Ｘ断面図であり、(a),(b) はそれぞれメイン扉の閉，開状態を表す図
【図３】自動販売機全体の正面図
【図４】図３に示した自動販売機の扉開放状態の外観斜視図
【図５】従来におけるメイン扉の上部側ヒンジの構造図であり、(a) は縦断側面図、(b) は(a) 図における矢視Ｘ−Ｘ断面図
【符号の説明】
１    キャビネット本体
１ａ  外箱
１ｂ  補強金
２    メイン扉
２ａ  扉枠
１２    ヒンジ
１２ａ  ヒンジ金具取付板
１２ａ-1  ヒンジ軸受部
１２ｂ  ヒンジ軸
１２ｃ  ボルト
【図１】
0004228556.tif 000002
【図２】
0004228556.tif 000003
【図３】
0004228556.tif 000004
【図４】
0004228556.tif 000005
【図５】
0004228556.tif 000006